(57)【要約】  廃棄物を収集するためのひだ付チューブの供給用カセットが、環状ボディ１２と環状フランジ１４で形成されている。環状ボディは、ひだ付チューブ２２のパックが収納されているＵ字型断面を持ち、環状フランジは、ハウジングを覆うように広がっている。前記フランジは、環状ボディ内壁上部１７と係合する下方に伸長する内壁部２６及び外側張出し部２８を持っている。外側張出し部は、チューブが通過できるような外周隙間を形成するため、ボディ外壁上端から離れた外周端を有し、チューブが環状ボディの中央芯部を通過して引っ張られるとき、その滑りを手伝う環状漏斗領域２７ａを有している。
2005514295.tif 000002
【特許請求の範囲】
【請求項１】
環状ボディと、環状フランジとを備えたひだ付チューブ供給用カセットであって、
前記環状ボディは、内壁、外壁、内壁と外壁を下部で結合した底壁により形成された、概略Ｕ字形の断面を持っており、これらの壁により、ひだ付チューブが層状に折畳まれて収納されているハウジングが形成されており、
前記環状フランジは、前記ハウジングを覆うように広がっており、下方へ伸び前記ボディ内壁上部と係合している内側部分と、外側へ張出し前記ハウジングを覆うように広がる部分を有しており、
前記外側張出し部は、前記チューブが通過できるような外周隙間を形成するため、前記ボディ外壁上端から離れた外周端を有し、更に、前記チューブが中央芯部を通過して引っ張られるときに、前記チューブを滑らすのを手伝う環状傾斜領域を有し、
前記中央芯部は、前記ボディ内壁と前記フランジの前記下方伸長部とで形成されていることを特徴とする、ひだ付チューブ供給用カセット。
【請求項２】
環状ボディと、環状カバーと、相互係合手段とを備えたひだ付チューブ供給用カセットであって、
前記環状ボディは、内壁、外壁、内壁と外壁を下部で結合した底壁により形成された、概略Ｕ字形の断面を持っており、これらの壁により、ひだ付チューブが層状に折畳まれて収納されているハウジングが形成されており、
前記環状カバーは、前記ハウジングを覆うように広がっており、下方へ伸び前記ボディ内壁上部と係合している内側部分と、前記ハウジングを覆うように広がる頂上部とを有しており、
前記頂上部は、前記環状ボディの前記外壁の上部と係合している外周端を持つ、ちぎり取り用外側張出し部を含み、
前記ちぎり取り用部分において、ちぎり取った時、チューブ通過用の周囲隙間ができ、
前記下方伸長内側部は、前記ボディ内壁で形成された中央芯部を前記チューブが通過して引っ張られるときに、前記チューブを滑らすのを手伝う環状傾斜領域を有し、
相互係合手段であって、カバーをボディにロックするため、前記ボディ上部とカバー側対向端とに相互に協働する係合手段が備えられていることを特徴とする、ひだ付チューブ供給用カセット。
【請求項３】
請求項２に記載のひだ付チューブ供給用カセットであって、
前記相互係合手段は、前記環状ボディ上端と係合する前記カバー内壁表面の環状リップから成ることを特徴とする、ひだ付チューブ供給用カセット。
【請求項４】
請求項２に記載のひだ付チューブ供給用カセットであって、
前記カバーは、前記外側張出し部をちぎり取ることを可能にするため、断面が薄くなっている円周領域を持っていることを特徴とする、ひだ付チューブ供給用カセット。
【請求項５】
請求項２に記載のひだ付チューブ供給用カセットであって、
前記カバーは、前記カバーを前記環状ボディへスナップ留めをするために、弾力性のある樹脂材料で作られていることを特徴とする、ひだ付チューブ供給用カセット。
【請求項６】
請求項２に記載のひだ付チューブ供給用カセットであって、
前記ボディと前記カバーは、楕円形状であることを特徴とする、ひだ付チューブ供給用カセット。
【請求項７】
請求項２に記載のひだ付チューブ供給用カセットであって、
前記ハウジング内にひだ付チューブのパックを備えることを特徴とする、ひだ付チューブ供給用カセット。
【請求項８】
請求項７に記載のひだ付チューブ供給用カセットであって、
前記チューブは、バリア・フィルムで形成することを特徴とする、ひだ付チューブ供給用カセット。
【請求項９】
環状ボディと、環状フランジと、相互係合手段とを備えたひだ付チューブ供給用カセットであって、
前記環状ボディは、内壁、外壁、内壁と外壁を下部で結合した底壁により形成された、Ｕ字形の断面を持っており、これらの壁により、ひだ付チューブが層状に折畳まれて収納されているハウジングが形成されており、
前記環状フランジは、前記ハウジングを覆うように広がっており、下方へ伸び前記ボディ内壁上部と係合している内側部分と、外側へ張出し前記ハウジングを覆うように広がる部分を有しており、
前記外側張出し部は、前記チューブが通過できるような外周隙間を確保するため、前記ボディ外壁上端から離れた外周端を有し、更に、前記チューブが中央芯部を通過して引っ張られるときに、前記チューブを滑らすのを手伝う漏斗を形成する環状傾斜領域を有し、
前記中央芯部は、前記ボディ内壁と前記フランジの前記下方伸長部とで形成されており、
相互係合手段であって、フランジをボディにロックするため、前記ボディ上部と前記フランジの前記下方伸長部に、相互に協働する係合手段が備えられていることを特徴とする、ひだ付チューブ供給用カセット。
【請求項１０】
請求項９に記載のひだ付チューブ供給用カセットであって、
前記ひだ付チューブのために滑らかな内面を形成するため、前記環状フランジの下方伸長部がボディ内壁と同一面となるように、ボディ内壁上部が後退していることを特徴とする、ひだ付チューブ供給用カセット。
【請求項１１】
請求項１０に記載のひだ付チューブ供給用カセットであって、
前記ボディ上部が前記芯部に向かって内側へ後退して肩部を形成し、前記フランジ下方伸長部の下端が、前記肩部の上に載っていることを特徴とする、ひだ付チューブ供給用カセット。
【請求項１２】
請求項９に記載のひだ付チューブ供給用カセットであって、
前記相互係合手段は、係合を確保するため、前記ボディ内壁上部に設けられた開口部と前記フランジ下方伸長部に設けられた舌部から成ることを特徴とする、ひだ付チューブ供給用カセット。
【請求項１３】
請求項９に記載のひだ付チューブ供給用カセットであって、
前記フランジは、前記相互係合手段であるスナップ留めをするために、弾力性のある樹脂材料で作られていることを特徴とする、ひだ付チューブ供給用カセット。
【請求項１４】
請求項９に記載のひだ付チューブ供給用カセットであって、
前記ボディと前記フランジは、楕円形状であることを特徴とする、ひだ付チューブ供給用カセット。
【請求項１５】
請求項９に記載のひだ付チューブ供給用カセットであって、
前記ハウジング内にひだ付チューブのパックを備えることを特徴とする、ひだ付チューブ供給用カセット。
【請求項１６】
請求項１５に記載のひだ付チューブ供給用カセットであって、
前記チューブは、バリア・フィルムで形成することを特徴とする、ひだ付チューブ供給用カセット。
【発明の詳細な説明】
【技術分野】
【０００１】
本発明は、ひだ付チューブ（ tubing ）供給用カセットに関する。
【０００２】
本型式のカセットは、他の機器と一緒に使用して、廃棄物を管状チューブ内に集めた状態で、パッケージの中に捨てる廃棄物収集用の台所調度のような器具を形成するために使用することができる。パックになったひだ付チューブを、全て使い果たしたとき、カセットを新品の同一カセットと取換えることができる。
【背景技術】
【０００３】
このようなカセットの一例は、１９９０年６月１９日発行のリチャードその他による米国特許第４９３４５２９号に開示されている。このカセットは、１９８９年９月２６日発行のリチャードその他による米国特許第４８６９０４９号で開示しているような廃棄物処理に特に適用される器具とともに使用されても良い。
【０００４】
このカセットは、中央管状芯部及び芯部との間に環状空間を備える囲繞壁により形成された剛体から成る。弾力性のある柔軟なチューブが、環状空間内に収納されており、ケース内で軸方向に移動可能な蓋でカバーされている。この蓋は、ケース外壁から、蓋の内側端と管状中央芯部との間に隙間ができる位置まで、径方向に広がっている。チューブはパックから中央芯部の上端を越え芯部内を通過して下方へ供給される。ケース外壁は、蓋がパックから離れるような軸方向の動きを制限する繋止手段を持っている。
【発明の開示】
【発明が解決しようとする課題】
【０００５】
本発明の目的は、ひだ付チューブ供給用の新型カセットを提供することにある。これは、環状ボディと環状フランジの組立体により達成される。フランジは、チューブが環状ボディ中央芯部を下へ引っ張られるときにチューブに漏斗効果を与える構造となっている。
【課題を解決するための手段】
【０００６】
本発明は、環状ボディと、環状フランジとを備えたひだ付チューブ供給用カセットに関する。前記環状ボディは、内壁、外壁、内壁と外壁を下部で結合した底壁により形成されたＵ字形断面を持っており、これらの壁により、ひだ付チューブが層状に折畳まれて収納されているハウジングが形成されている。前記環状フランジは、ハウジングを覆うように広がっており、下方へ伸びボディ内壁上部と係合している内側部分と、外側へ張出しハウジングを覆うように広がる部分を有している。前記張出し部は、チューブが通過できるような外周隙間を形成するため、ボディ外壁上端から離れた外周端を有している。前記外側張出し部は、チューブが中央芯部を通過して引っ張られるときに、チューブを滑らすのを手伝う漏斗を形成する環状傾斜領域を有する。前記中央芯部は、ボディ内壁とフランジの下方張出し部とで形成されている。
【０００７】
本発明に係る一実施例では、ハウジングを覆うように広がる部分は、環状ボディの外壁の上部と係合している、ちぎり取り用外側張出し部を含む。ちぎり取った時、ちぎり取り用部分にチューブ通過用の周囲隙間ができる。
【０００８】
本発明に係る別の実施例では、カバーをボディにロックするため、ボディ上部とカバー側対向端とに相互に協働する係合手段が備えられている。これらの相互係合手段は、相手側の環状ボディ上端と係合するカバー内壁表面のリップから成る。
【０００９】
本発明に係る他の目的や更なる実施例は、以後の詳細な説明により明らかとなるであろう。しかし、この詳細な説明、すなわち好適な実施形態は、図示に基づいた記述しかしない。本発明の思想及び範囲内で、当業者は、様々な変形例や改良例を容易に考案できるからである。
【発明を実施するための最良の形態】
【００１０】
図１に、２つの部品１２と１４から成る、全体として１０で表示したカセットを示す。
【００１１】
部品１２は、Ｕ字形断面を持つ環状ボディから成る。前記環状ボディは、内壁、外壁、内壁と外壁を下部で結合した底壁により形成されており、ひだ付管状チューブのパック２２を収納するハウジングを形成している。前記環状ボディの内壁は、中央芯部を形成している。
【００１２】
カセットの部品１４は、ボディ１２のハウジングを覆うように広がる環状カバーから成る。前記カバーは、芯部内を下方へ伸びボディ内壁の上部と係合している内側部分２６を有する。又、前記カバー１４は、外側への張出し部２８とともに頂上部２７も含んでおり、環状ボディのハウジングを覆うように広がっている。頂上部２７は、平坦部２７ａと漏斗形状の内側部２７ｂで形成されており、平坦部２７ａと漏斗形状の内側部２７ｂの機能は、以下に記述する。
【００１３】
前記フランジの下方伸長部分２６の下端３０は、環状ボディ１２の折返し端１７の下で係合する環状内側リップ３２を持っている。
【００１４】
環状ボディ１２とカバー１４は、上述した内側リップ３２と、張出し部２８の端部３６付近の環状リップ３４との協働により、最初は互いにロック状態で係合している（図１の左側部分に示すように）。環状リップ３４は、環状ボディ１２の上部折返し端３７と係合している。
【００１５】
ハウジング内に収納したひだ付チューブのパックを持つ、本発明に係るカセット１０の使い方を述べる。外側への張出し部２８は、張出し部２８を頂上部２７ａへつないでいる領域４０を有する。前記領域４０は、材料を弱くしてちぎり取ることができるように（図１の右側部分に示すように）、断面が薄くなっている。張出し部２８をちぎり取った後、チューブ上端を、前記ボディの最上端５２と前記カバーの滑らかな対向外周端５４との間の隙間５０を通過してハウジングから引出す。それから、チューブの端部近くに結び目（図示せず）を作る。それから、チューブを、滑らかな環状端５４に沿って平坦部２７ａの上をまたいで、更に漏斗領域２７ｂに沿って中央芯部の中へ滑らしながら、結び目を、カセットの中央芯部を通過して下へ引っ張る。
【００１６】
チューブは、廃棄物の匂いを封ずるための囲繞体となるバリア・フィルムで形成しても良い。
【００１７】
前記ボディと前記カバーは、ちぎり取りを容易にするために、同じく、互いにスナップ留めをするために、弾力性のある樹脂材料で形成することが好ましい。一例として、ボディはポリプロピレンで作る一方、カバーはポリエチレンで作ることが好ましい。
【００１８】
図３に、２つの部品１１２と１１４から成る、全体として１１０で表示した別な実施例のカセットを示す。
【００１９】
部品１１２は、Ｕ字形断面を持つ環状ボディから成る。前記環状ボディは、内壁１１６、外壁１１８、内壁と外壁を下部で結合した底壁１２０により形成されており、ひだ付管状チューブ１２４のパック１２２（図４参照）を収納するハウジングを形成している。前記環状ボディの内壁１１６は、下部１１６ａと上部１１６ｂで構成され、中央芯部を形成している。１１６ａの部位と１１６ｂの部位は、肩部１１７を形成するために、軸方向で互いにずれている。
【００２０】
カセットの部品１１４は、ボディ１１２のハウジングを覆うように広がる環状フランジから成る。前記フランジは、芯部内を下方へ伸びボディ内壁の上部１１６ｂと係合している内側部分１２６を有する。又、前記フランジ１１４は、外側への張出し部１２８を含んでおり、環状ボディのハウジングを覆うように広がっている。外側への張出し部１２８は、平坦部１２８ａと漏斗形状の内側部１２８ｂで形成されており、その機能は、以後に記述する。
【００２１】
前記フランジの下方伸長部分１２６の下端１３０は、環状ボディ１１２の肩部１１７の上に載っている。
【００２２】
環状ボディ１１２とフランジ１１４は、一連の舌部１３２の協働手段により、互いにロックされて係合している。前記舌部１３２は、環状ボディ内壁表面の相手側開口部１３４内へスナップ留めするための形状を有している。
【００２３】
一旦、係合すると、環状ボディ内壁の下部は、環状フランジの下方伸長部と同一面となる。パックにされたハウジング内ひだ付チューブのために滑らかな内面を提供するためである。
【００２４】
図４に、ハウジング内に収納したひだ付チューブのパックを持つ、本発明に係るカセット１０の使い方を、模式的に示す。最初に、チューブを、前記ボディの頂部外周端１５２と前記フランジの滑らかな外周端１５４との間の隙間１５０を通過してハウジングから引出す。チューブの端部付近に結び目１４０を作る。それから、チューブを滑らかな環状端１５４に沿って平坦部１２８ａの上をまたいで、更に漏斗領域１２８ｂに沿って滑らしながら、結び目を、カセット中央芯部を通過して下へ引っ張る。廃棄物１４２は、チューブの中へ捨てられ、包まれた廃棄物を固定するため、図示のように１４４においてねじられる。前記ねじりは、人手によって実施しても良いし、器具により実施しても良い。
【００２５】
チューブは、廃棄物の匂いを封ずるための囲繞体となるバリア・フィルム（ barrier film ）で形成しても良い。
【００２６】
図４に示すように、別々に収集した廃棄物を囲繞するために、チューブがますます多く使用され、容器１４６内へ捨てられる。
【００２７】
収集可能な様々な廃棄物のうち、猫トイレ用の砂（猫砂）が考えられる。従って、猫砂収集用のスコップの楕円形状に全体的に適合させるために、カセットは、楕円形状にする。一方、円形のような、他の形状のカセットも考えられる。これは、廃棄された赤ちゃん用おむつを収集するために使用されても良い。
【００２８】
本発明を、ある仕様に関して述べたが、他の様々な変形案や改良案が考案されることは、当該技術分野における通常の知識を有する者にとり、明らかであろう。例えば、前記フランジの下方張出し部の表面に開口部を設置し、舌部の繋止手段を、ボディ内壁に備えても良い。それゆえ、本発明は、本願請求項により制限されることを除いて、範囲を制限されるべきではないことを了解されたい。
【図面の簡単な説明】
【００２９】
【図１】本発明に係るカセットの一実施例の立面断面図であり、ちぎり取り部を持つ場合と持たない場合の使用状態を示している。
【図２】本発明に係るカセットの一実施例の立面断面図であり、ちぎり取り部をちぎり取った場合の使用状態を示している。
【図３】本発明に係るカセットの別な実施例の分解組立図である。
【図４】図３に係るカセットの立面断面図であり、ひだ付チューブの使用状態を示している。
【図１】
2005514295.tif 000003
【図２】
2005514295.tif 000004
【図３】
2005514295.tif 000005
【図４】
2005514295.tif 000006
【国際調査報告】
2005514295.tif 000007
2005514295.tif 000008
2005514295.tif 000009
2005514295.tif 000010
2005514295.tif 000011